(57)【要約】【課題】分離された油と水が上下振動により再度混ざり合うという現象が生じることがなく、浮上油の回収を効率よく行なうことができると共に、回収された浮上油に含まれる水の混入量を大幅に減少できる浮上油回収装置を提供する。【解決手段】貯留タンク４４内の油水混合液を流入させて比重差により油と水に分離する分離槽４８と、一端部が前記ポンプの吸入口に連結され、他端部が前記液面追従式吸引装置の吸込みパイプに連結された吸入用ホース９０と、前記分離槽の上部に上下方向に向くように配設された、上端が閉塞され、かつ下端が開口されたリード管９３と、一端部が前記ポンプの送出ロに連結され、他端部が前記リード管の、前記分離槽の上面から突出する部分に連結された流入管９１と、前記リード管に設けられた、前記油水混合液に含まれた空気を外部に流出させる開口部９４とを備えている。【選択図】図１７
2011255381.tif 000002
【特許請求の範囲】
【請求項１】
貯留タンク内の油水混合液を流入させて比重差により油と水に分離する分離槽と、
一端部が前記ポンプの吸入口に連結され、他端部が前記液面追従式吸引装置の吸込みパイプに連結された吸入用ホースと、
前記分離槽の上部に上下方向に向くように配設された、上端が閉塞され、かつ下端が開口されたリード管と、
一端部が前記ポンプの送出ロに連結され、他端部が前記リード管の、前記分離槽の上面から突出する部分に連結された流入管と、
前記リード管に設けられた、前記油水混合液に含まれた空気を外部に流出させる開口部と、を備えたことを特徴とする浮上油回収装置。
【請求項２】
請求項１記載に記載された浮上油回収装置において、
前記リード管は、前記分離槽の上部に上下方向を向くように配設され、かつ前記分離槽の内壁に固定され、
前記流入管は、前記分離槽の外側に上下方向を向くように配設され、前記リード管に接合する連結管に下方から接合し、前記連結管を介して前記リード管に連結され、
前記連結管と前記リード管の連結部に対向した前記リード管の対向壁面から前記連結部に向かって上方に傾斜した板が配設され、
前記上方に傾斜した板の先端部と前記連結管の間には空隙が設けられ、
前記リード管の、前記連結管との連結部の上方に前記開口部が設けられ、
前記リード管の下部は先端部に向かって断面積が徐々に小さくなるように構成されていることを特徴とする浮上油回収装置。
【請求項３】
請求項１又は請求項２記載の浮上油回収装置において、
前記分離槽内に設けられた、上面が開口し、前記リード管側の側面の上端部が前記分離槽の上端部より下方に位置し、他の側面の上端部は前記分離槽の上端部と同一面にあり、リード管側から見た左右の側面が分離槽の内壁に接合された、前記分離槽に浮上する浮上油を前記リード管側端面より流入させる箱体Ａと、
上面が開口し、上端部は前記分離槽の上端部と同一面にあり、リード管側の側面が前記箱体Ａのリード管に対する反対側側面に接合され、他の側面が前記分離槽の内壁に接合された箱体Ｂと、
前記箱体Ｂの底面を上下に貫通し直立して接合され、上方外面にねじ溝加工がされている前記分離槽で分離された水が流入する中空のパイプと、
前記中空パイプの上方外面のねじ溝にねじ込み可能な、内側にねじ加工を施した液面調整管と、
前記箱体Ａの側面に設けられ、前記箱体Ａ内の浮上油を排出させる排出口と、
前記排出口に連結されて前記箱体Ａ内の浮上油を回収容器に導く排出用ホースと、
前記箱体Ｂの側面に設けられ、前記中空パイプから流入した水を流出させる流出口と、前記流出口に連結されて前記分離された水を任意箇所に導く流出用ホースと、
を備えたことを特徴とする浮上油回収装置。
【請求項４】
請求項１乃至請求項３のいずれか１項に記載の浮上油回収装置において、
前記分離槽に加えて、更に前記分離槽の排出口及び流出口の下端面より下方に、第２の分離槽を備え、
前記第２の分離槽の上方に配設された、浮上油を前記第２の分離槽に流入させる、前記箱体Ａの排出口に接続された排出パイプと、
前記第２の分離槽内に設けられた、上面が開口し、前記排出パイプ側の側面の上端部が前記第２の分離槽の上端部より下方に位置し、他の側面の上端部は前記第２の分離槽の上端部と同一面にあり、排出パイプ側から見た左右の側面が前記第２の分離槽の内壁に接合された、前記第２の分離槽に浮上する浮上油を排出パイプ側側面より排出する箱体Ｃと、
上面が開口し、上端部は前記第２の分離槽の上端部と同一面にあり、前記排出パイプ側の側面が前記箱体Ｃの前記排出パイプに対する反対側側面に接合され、他の側面が前記第２の分離槽の内壁に接合された箱体Ｄと、
前記箱体Ｄの上方に構成され、箱体Ｂから流出する水を箱体Ｄに流入させる流出パイプと、
前記箱体Ｄの底面を上下に貫通し直立して接合され、上方外面にねじ溝加工がされている前記第２の分離槽で分離された水が流入する中空のパイプと、
前記中空パイプの上方外面のねじ溝にねじ込み可能な、内側にねじ加工を施した液面調整管と、
前記箱体Ｃの側面に設けられ、前記箱体Ｃ内の浮上油を排出させる排出口と、
前記排出口に連結されて前記箱体Ｃ内の浮上油を回収容器に導く排出用ホースと、
前記箱体Ｄの側面に設けられ、前記中空パイプから流入した水を流出させる流出口と、
前記流出口に連結されて前記分離された水を任意箇所に導く流出用ホースと、を備えたことを特徴とする浮上油回収装置。
【請求項５】
請求項４に記載の浮上油回収装置において、
前記分離槽の箱体Ａの排出口に接続された排出パイプの排出口近傍の上面には排気用の開口が形成されていることを特徴とする浮上油回収装置。
【発明の詳細な説明】
【技術分野】
【０００１】
本発明は、例えば、加工液（水溶性クーラント）、洗浄液、冷却液等の水と油の混じった油水混合液の液面に浮上する作動油、潤滑油等の油分を吸引して回収する、浮上油回収装置に関する。
【背景技術】
【０００２】
従来から浮上油回収装置を使って油水混合液から油と水を分離することは知られている（特許文献１、特許文献２参照）。このような浮上油回収装置では、工作機械クーラントタンクや洗浄液タンク等の貯留タンクに溜まった油水混合液をポンプで吸い上げて流入管を介して分離槽内に送り込み、この分離槽内で水と油を比重の違いを利用して上下に分離する。分離された油は排出ホースを介して回収容器に回収される。回収された油は廃液として適宜処分される。油を除去した残りの液（水）は、分離槽から貯留タンクに戻されて再利用される。
【０００３】
また、従来からポンプの吸引用ホースの先端（吸引口）を貯留タンク内においてフロート装置で支持し、同貯留タンク内の油水混合液の液面に追従するように吸引口を常時浮上させながら吸引することも知られている（特許文献１、特許文献２参照）。
【先行技術文献】
【特許文献】
【０００４】
【特許文献１】特開２００４−３０５８４７号公報
【特許文献２】特開２００６−６１８９４号公報
【発明の概要】
【発明が解決しようとする課題】
【０００５】
油水混合液の液面に浮上する油を吸引する場合、吸引口が液面より離れすぎると、水分を大量に吸引し又、液面に近づきすぎると空気を大量に吸引してしまい、いずれの場合も浮上油の回収効率が悪くなる。即ち油の回収効率を上げるには吸引口を液面下の最適な位置に保持する必要がある。しかし、フロート装置のみによる液面追従では浮上油の性質や厚さ又、油水の温度により吸入口の液面からの距離が変化する。
【０００６】
よって回収効率を上げるには、浮上油の性質や厚さや油水の温度等の変化に対応して、吸引口を液面下の最適な位置に調整する必要があった。
【０００７】
本発明は、上記の課題を解決するためになされたもので、吸引口を液面下の最適位置に無調整で保持する液面追従式吸引装置を提供することを目的とし、また前記液面追従式吸引装置により、水の混入量を大幅に減らした浮上油を速く回収できるようにした浮上油回収装置を提供することを目的とする。
【課題を解決するための手段】
【０００８】
上記の課題を解決するためになされた本発明にかかる液面追従式吸引装置は、油水混合液の液面に浮上する油分を吸引回収する液面追従式吸引装置であって、一端部が上方に開口する吸込み口側端部とされ、かつ他端部にポンプの吸入口に連通される吸入用ホースが連結される吸込みパイプと、前記吸込みパイプに固定され、かつ外方に延びる突出部を有する保持部材と、前記保持部材の突出部に取り付けられて前記吸込みパイプの前記吸込み口側端部を液中の液面近傍に追従させるフロート本体と、比重が１より大きい樹脂により成形され管体であって、前記吸込み口側端部の外径より大きい内径を有し、前記吸込み口側端部の外周に上下移動自在に緩挿され、かつ上端開口縁部が吸込み口とされる調整パイプと、前記吸込み口側端部の外周と前記調整パイプと内周との間に形成され、液体の流路となる隙間とを備え、前記ポンプによる吸引動作によって、前記調整パイプの下端から、調整パイプと吸込みパイプとの前記隙間に液体が流入し、前記液体は隙間を昇流すると共に前記調整パイプを上方に移動させ、前記吸込みパイプに吸い込まれ、かつ、前記調整パイプの上端面から前記液体が吸い込みパイプ内に吸い込まれることを特徴としている。
【０００９】
このように、本発明にかかる液面追従式吸引装置にあっては、吸込みパイプの吸込み口側端部に調整パイプを上下移動自在に配設したことにより、調整パイプの吸込み口を液面に対して常時適正な位置に保持されるから浮上油の回収を効率よく行なうことができると共に、回収された浮上油に含まれる水の混入量を大幅に減少できる。
また、前記調整パイプは、比重が１より大きい樹脂により成形され管体であって、前記吸込み口側端部の外径より大きい内径を有し、前記吸込み口側端部の外周に上下移動自在に緩挿される。このように、調整パイプを、比重が１より大きい樹脂により成形していることにより、液吸い込み時に調整パイプの吸込み口を液面に対してより適正な位置に保持できる。
【００１０】
ここで、前記保持部材の、前記調整パイプの下側端面に対向する位置に、前記吸込みパイプと前記調整パイプとの間の隙間を塞がないように、前記調整パイプを載置させる座板を配設していることが望ましい。これにより、ポンプ稼働直後の調整パイプの適正位置までの移動をスムーズに行なわせることができる。
【００１１】
また、一端部が前記保持部材に固定され、かつ他端部が前記調整パイプの外側端面に対して所定間隔を置いて対向配置されて前記調整パイプの落下を防止する帯状のストッパを備えていることが望ましい。このストッパにより調整パイプの離間紛失を防止できる。
【００１２】
また、前記調整パイプは、比重が１より大きい樹脂により成形され管体であって、前記吸込み端パイプの前記上端部の外径より大きい内径を有するものであることが望ましい。
このように、調整パイプを、比重が１より大きい樹脂により成形していることにより、液吸い込み時に調整パイプの吸込み口を液面に対してより適正な位置に保持できる。
【００１３】
また、上記の課題を解決するためになされた本発明にかかる液面追従式吸引装置は、油水混合液の液面に浮上する油分を吸引回収する液面追従式吸引装置であって、上下に起立して配置され、かつ上端にポンプの吸入口に連通された吸入用ホースが連結される吸込みパイプと、前記吸込みパイプに固定され、かつ外方に延びる突出部を有する保持部材と、前記保持部材の前記突出部に取り付けられて前記吸込みパイプの下端部を液中の液面近傍に追従させるフロート本体と、前記吸込みパイプの下端部に対して適当間隔を置いて配置される受け皿と、比重が１より大きい樹脂により成形された管体であって、前記受け皿の外径より大きい内径を有し、前記受け皿の外周上に上下移動自在に緩挿され、かつ上端開縁部が吸込み口とされる調整パイプと、前記受け皿の外周と前記調整パイプと内周との間に形成され、液体の流路となる隙間とを備え、前記ポンプによる吸引動作によって、前記調整パイプの下端から、調整パイプと前記受け皿との前記隙間に流入し、前記液体は隙間を昇流すると共に前記調整パイプを上方に移動させ、前記吸込みパイプに吸い込まれ、かつ、前記調整パイプの上端面から前記液体が吸い込みパイプ内に吸い込まれることを特徴としている。
【００１４】
このように、本発明にかかる液面追従式吸引装置は、吸込みパイプの吸込み口側端部に調整パイプを上下移動自在に配設したことにより、調整パイプの吸込み口を液面に対して常時適正な位置に保持されるから浮上油の回収を効率よく行なうことができると共に、回収された浮上油に含まれる水の混入量を大幅に減少できる。また、吸込みパイプの下端部の開口が下向きに設置されるので、液面高さが低くても液の吸込みが可能である。
また、前記調整パイプは、比重が１より大きい樹脂により成形された管体であって、前記受け皿の外径より大きい内径を有し、前記受け皿の外周上に上下移動自在に緩挿される。このように、調整パイプを、比重が１より大きい樹脂により成形していることにより、液吸い込み時に調整パイプの吸込み口を液面に対してより適正な位置に保持できる。
【００１５】
ここで、前記受け皿は、液中において前記吸込みパイプの下端部に対向し、かつ周縁枠が前記吸込みパイプの下端部を囲うように配置されるものであることが望ましい。
このように、吸込みパイプの下端部が受け皿および調整パイプの各周縁枠により囲われていることにより、油水混合液を吸引する際に液が受け皿および調整パイプの各周縁枠の上線を回りこんで流れることから液面近傍の浮上油から先に吸い込まれるようになり、浮上油の抽出効率がよい。
【００１６】
また、前記受け皿の底面に対し所定間隔を置いて対向配置された、前記調整パイプの落下を防止する平板状のストッパを備えていることが望ましい。このストッパにより調整パイプの離間紛失を防止できる。
【００１７】
また、上記の課題を解決するためになされた本発明にかかる液面追従式吸引装置を備える浮上油回収装置において、貯留タンク内の油水混合液を流入させて比重差により油と水に分離する分離槽と、一端部が前記ポンプの吸入口に連結され、他端部が前記液面追従式吸引装置の吸込みパイプに連結された吸入用ホースと、前記分離槽の上部に上下方向に向くように配設された、上端が閉塞され、かつ下端が開口されたリード管と、一端部が前記ポンプの送出ロに連結され、他端部が前記リード管の、前記分離槽の上面から突出する部分に連結された流入管と、前記リード管に設けられた、前記油水混合液に含まれた空気を外部に流出させる開口部と、を備えたことを特徴としている。
【００１８】
このように本発明にかかる液面追従式吸引装置を備える浮上油回収装置にあっては、油水混合液をリード管により分離槽の上部から下向きに流入する構成としたことにより、分離槽内に蓄積される油水混合液には、脈動による影響が殆どなく、上下振動の現象を生じることがない。
従って、分離された油と水が上下振動により再度混ざり合うという現象が生じることがなく、浮上油の回収を効率よく行なうことができると共に、回収された浮上油に含まれる水の混入量を大幅に減少できる。流入された油水混合液に含まれた空気がリード管から開口部を経て上部空間に排出され、分離槽には殆ど流入しない。よって分離槽の液面に気泡が上昇してくることが殆どなくなり、分離された油と水が気泡の存在により再度混ざり合うという現象が生じることがない。従って、回収された浮上油における水の混入量を大幅に減少できる。
【００１９】
ここで、前記リード管は、前記分離槽の上部に上下方向を向くように配設され、かつ前記分離槽の内壁に固定され、前記流入管は、前記分離槽の外側に上下方向を向くように配設され、前記リード管に接合する連結管に下方から接合し、前記連結管を介して前記リード管に連結され、前記連結管と前記リード管の連結部に対向した前記リード管の対向壁面から前記連結部に向かって上方に傾斜した板が配設され、前記上方に傾斜した板の先端部と前記連結管の間には空隙が設けられ、前記リード管の、前記連結管との連結部の上方に前記開口部が設けられ、前記リード管の下部は先端部に向かって断面積が徐々に小さくなるように構成されていることが望ましい。
【００２０】
このように、流入管、リード管に連結管を接合したことにより、油水混合液の移動速度を下げることができ、油水混合液の分離槽への流入速度が低くなり、かつ液面の狭い範囲に、穏やかに流入し気泡の発生が抑えられ、回収された浮上油における水の混入量を大幅に減少できる。
【００２１】
また、前記分離槽内に設けられた、上面が開口し、前記リード管側の側面の上端部が前記分離槽の上端部より下方に位置し、他の側面の上端部は前記分離槽の上端部と同一面にあり、リード管側から見た左右の側面が分離槽の内壁に接合された、前記分離槽に浮上する浮上油を前記リード管側端面より流入させる箱体Ａと、上面が開口し、上端部は前記分離槽の上端部と同一面にあり、リード管側の側面が前記箱体Ａのリード管に対する反対側側面に接合され、他の側面が前記分離槽の内壁に接合された箱体Ｂと、前記箱体Ｂの底面を上下に貫通し直立して接合され、上方外面にねじ溝加工がされている前記分離槽で分離された水が流入する中空のパイプと、前記中空パイプの上方外面のねじ溝にねじ込み可能な、内側にねじ加工を施した液面調整管と、前記箱体Ａの側面に設けられ、前記箱体Ａ内の浮上油を排出させる排出口と、前記排出口に連結されて前記箱体Ａ内の浮上油を回収容器に導く排出用ホースと、前記箱体Ｂの側面に設けられ、前記中空パイプから流入した水を流出させる流出口と、前記流出口に連結されて前記分離された水を任意箇所に導く流出用ホースと、を備えていることが望ましい。
この液面調整管により、前記箱体Ａへの油分の流入量を調整することができ、油水分離を効果的に行なうことができる。運転のための動力がポンプのみであり、処理のためのエネルギー量が少なくてよい。分離を機械的に行ない、薬品を使用しないから、分離した水はそのまま回収して再利用できる。
【００２２】
また、前記分離槽に加えて、更に前記分離槽の排出口及び流出口の下端面より下方に、第２の分離槽を備え、前記第２の分離槽の上方に配設された、浮上油を前記第２の分離槽に流入させる、前記箱体Ａの排出口に接続された排出パイプと、前記第２の分離槽内に設けられた、上面が開口し、前記排出パイプ側の側面の上端部が前記第２の分離槽の上端部より下方に位置し、他の側面の上端部は前記第２の分離槽の上端部と同一面にあり、排出パイプ側から見た左右の側面が前記第２の分離槽の内壁に接合された、前記第２の分離槽に浮上する浮上油を排出パイプ側側面より排出する箱体Ｃと、上面が開口し、上端部は前記第２の分離槽の上端部と同一面にあり、前記排出パイプ側の側面が前記箱体Ｃの前記排出パイプに対する反対側側面に接合され、他の側面が前記第２の分離槽の内壁に接合された箱体Ｄと、前記箱体Ｄの上方に構成され、箱体Ｂから流出する水を箱体Ｄに流入させる流出パイプと、前記箱体Ｄの底面を上下に貫通し直立して接合され、上方外面にねじ溝加工がされている前記第２の分離槽で分離された水が流入する中空のパイプと、前記中空パイプの上方外面のねじ溝にねじ込み可能な、内側にねじ加工を施した液面調整管と、前記箱体Ｃの側面に設けられ、前記箱体Ｃ内の浮上油を排出させる排出口と、前記排出口に連結されて前記箱体Ｃ内の浮上油を回収容器に導く排出用ホースと、前記箱体Ｄの側面に設けられ、前記中空パイプから流入した水を流出させる流出口と、前記流出口に連結されて前記分離された水を任意箇所に導く流出用ホースと、を備えていることが望ましい。
このように、分離槽を２個備えて油水分離を２回行なうことにより、１個の分離槽で１回だけ行なう油水分離では効果的な分離が困難だった、気泡を大量に含む油水混合液から効率よく油を回収することが可能になる。
【００２３】
また、前記分離槽の箱体Ａの排出口に接続された排出パイプの排出口近傍の上面には排気用の開口が形成されていることが望ましい。
このように、排出パイプの排出口近傍の上面には排気用の開口が形成されているため、１個目の分離槽で発生した空気を２個目の分離槽に流出させないことにより、更に効果的に油水分離を行なうことができる。
【発明の効果】
【００２４】
本発明によれば、吸引口を液面下の最適位置に無調整で保持する液面追従式吸引装置を得ることができる。また、前記液面追従式吸引装置を備えた、水の混入量を大幅に減らした浮上油を速く回収できるようにした浮上油回収装置を得ることができる。
【図面の簡単な説明】
【００２５】
【図１】本発明にかかる実施例１の液面追従式吸引装置を示す斜視図である。
【図２】同正面図である。
【図３】同実施例１を構成する保持部材を示す図で、（ａ）は斜視図、（ｂ）は平面図、（ｃ）は正面図である。
【図４】同実施例１を構成するストッパを示す図で、（ａ）は斜視図、（ｂ）は平面図である。
【図５】本発明に係る液面追従式吸引装置を浮上油回収装置に使用した状況を示す斜視図である。
【図６】同実施例１の作動説明図である。
【図７】本発明にかかる実施例２の液面追従式吸引装置を示す図で、（ａ）は斜視図、（ｂ）は正面図である。
【図８】同実施例２を構成する保持部材を示す図で、（ａ）は斜視図、（ｂ）は平面図、（ｃ）は正面図である。
【図９】本発明にかかる実施例３の液面追従式吸引装置を示す図で、（ａ）は斜視図、（ｂ）は正面図である。
【図１０】同実施例３を構成する保持部材を示す斜視図である。
【図１１】同実施例３を構成する他の部品を示す図で、（ａ）は斜視図、（ｂ）は平面図、（ｃ）は正面図、（ｄ）は側面図である。
【図１２】同実施例３を構成するストッパを示す図で、（ａ）は平面図、（ｂ）正面図である。
【図１３】同実施例３の作動説明図である。
【図１４】本発明にかかる実施例４の液面追従式吸引装置を示す図で、（ａ）は斜視図、（ｂ）は正面図である。
【図１５】本発明にかかる実施例５の浮上油回収装置の実施態様を示す斜視図である。
【図１６】同実施例５の部品を示す斜視図である。
【図１７】本発明の浮上油回収装置の概略図である。
【図１８】本発明にかかる実施例６の浮上油回収装置の実施態様を示す斜視図である。
【図１９】同実施例６の部品を示す斜視図である。
【図２０】同実施例６の部品を示す上面図である。
【図２１】同実施例６の部品を示す側面図である。
【図２２】同実施例６の概略図である。
【発明を実施するための形態】
【００２６】
以下、本発明の実施の形態を実施例毎に説明する。
【実施例１】
【００２７】
図１は実施例１の液面追従式吸引装置１０を示す斜視図、図２は同正面図、図３は同実施例１を構成する保持部材２２を示す図で、（ａ）は上方から見た斜視図、（ｂ）は平面図、（ｃ）は正面図、図４は同実施例１を構成するストッパ３２を示す図で、（ａ）は斜視図、（ｂ）は背面図である。
【００２８】
これらの図に示すように、液面追従式吸引装置１０は、吸込みパイプ１８と、吸込みパイプ１８に固定される保持部材２２と、前記保持部材２２の３つの突出部２０にそれぞれ取り付けられる、３つのフロート本体２６と、吸込みパイプ１８に上下移動自在に緩挿される調整パイプ３０とを備えている。
【００２９】
吸込みパイプ１８は、図２に示すように、殆ど丸みを帯びずに直角に曲げたＬ型をなし、一端部が上方に開口する吸込み口側端部１８ａとされ、かつ液面追従式吸引装置１０の稼働時には、吸込み口側端部１８ａの他端部に吸入用ホース１６（図５参照）が連結されてポンプの吸入口に連通される。
【００３０】
Ｌ型をなす吸込みパイプ１８を使用することにより、滑らかに大きく曲げた湾曲型の吸込みパイプを使用した場合と比較して液面追従式吸引装置全体の高さが低くなるので、液面２５が低い油水混合液を吸引するのに好都合である。
【００３１】
保持部材２２は、図３に示されるように、吸込みパイプ１８を挿入するための中心孔２１ａが設けられ、また、中心孔２１ａを中心として放射状に延出する３つの突出部２０が設けられている。３つの突出部２０には３個の球面状のフロート本体２６がそれぞれ保持されている。符号２１ｂは後述するストッパ３２を取り付けるための取り付け孔、符号２１ｃはフロート本体２６を取り付けるための取り付け孔をそれぞれ示している。
【００３２】
保持部材２２の中心部の下面に筒状ホルダ２３の一端面が固着されている。保持部材２２の中心孔２１ａと筒状ホルダ２３の貫通孔とは合致している。吸込みパイプ１８は、保持部材２２の中心孔２１ａと筒状ホルダ２３とに挿入され、図１〜図３には図示しないが、筒状ホルダ２３の側面に穿設された取り付け孔２３ａにねじ込まれた蝶ボルト２４を締付けることにより保持部材２２に固定される（図９参照）。
【００３３】
フロート本体２６は、図２に示すように、保持部材２２の突出部２０に取り付けられて、吸込みパイプ１８の吸込み口側端部１８ａを、液面追従式吸引装置１０の稼働時に、図６に示すように、後述の貯留タンク４４内の油水混合液４６中において液面２５の近傍に追従させるものである。フロート本体２６は既存のフロートが使用されるが、球面状に限定されるものではない。
【００３４】
調整パイプ３０は、その内径が吸込みパイプ１８の外径より大きくされて吸込み口側端部１８ａに上下移動自在に挿入されている。例えば、吸込みパイプ１８の外径が１２ｍｍに対して調整パイプ３０の内径が１２．７ｍｍとされている。
【００３５】
調整パイプ３０を吸込みパイプ１８の端部に上下移動自在に緩挿したことにより、図６に示されるように、調整パイプ３０と吸込みパイプ１８との間に隙間３４が形成される。隙間３４は液面追従式吸引装置１０の稼働時に液の流通路となる。
【００３６】
調整パイプ３０は、比重が１より大きい樹脂により成形された管体である。比重が１より大きい樹脂としては、例えば、比重が１．３９〜１．４４のポリペンコＰＥＴ（商品名）、また、比重が１．３２〜１．５１のポリペンコＰＥＥＫ（商品名）がある。なお、「ポリペンコ」は登録商標である。
【００３７】
調整パイプ３０を、比重が１より大きい樹脂により成形していることにより、液面追従式吸引装置１０の稼働時に調整パイプ３０の上端開口縁部２８を液面２５に対してより適正な位置に保持できる（図６（ｃ）参照）。
【００３８】
調整パイプ３０の上方には調整パイプ３０の脱落を防止する帯状のストッパ３２が配設されている。ストッパ３２は図４に示されるように両端が互いに反対方向に折り曲げられた形状をなしている。一端部に、ストッパ３２を保持部材２２に取り付けるための取り付け孔３２ａが設けられている。
【００３９】
ストッパ３２は、図２、図３に示すように、一端部が保持部材２２の取り付け孔２１ｂに挿入された取り付けねじ３３により固定され、他端部が調整パイプ３０の外側端面に対して所定間隔を置いて対向配置されている。ストッパ３２は、調整パイプ３０が吸込みパイプ１８から脱落し紛失するのを防止する。
【００４０】
保持部材２２の、調整パイプ３０の下側端面に対向する位置に、図１，２に示すように、座板３６が配設されている。座板３６は、液面追従式吸引装置１０を稼働していないとき、すなわち、図２に示す位置にあるときに、調整パイプ３０の下端面に露出する隙間３４、即ち吸込みパイプ１８と調整パイプ３０との間の隙間３４（図６参照）を塞がないように調整パイプ３０を載置させるようにするものである。
【００４１】
座板３６としては、例えばねじりワッシャが使用される。座板３６があることにより、図２に示すように調整パイプ３０の下端面を保持部材２２の上面から浮上させた状態（離した状態）とすることができ、液面追従式吸引装置１０の稼働時のポンプの駆動直後に調整パイプ３０を適正位置までスムーズに移動させることができる。
【００４２】
図５は液面追従式吸引装置１０を浮上油回収装置４２に使用した状況を示す斜視図である。
【００４３】
浮上油回収装置４２は、工作機械クーラントタンクや洗浄液タンク等の貯留タンク４４内の油水混合液４６を油と水に分離する分離槽４８と、油水混合液４６を液面追従式吸引装置１０と吸入用ホース１６を使用して貯留タンク４４から吸い上げて分離槽４８に送り込むポンプＰ（ポンプＰはケース内に収容され、具体的には図示されていない）と、分離槽４８で分離された浮上油を回収する回収容器５２とを備えている。
【００４４】
液面追従式吸引装置１０は吸込みパイプ１８に、ポンプに連通する吸入用ホース１６を連結して貯留タンク４４内に設置される。
【００４５】
上記ポンプＰは、分離槽４８を搭載している架台５５上のケース内部に配設されており、その吸入口に吸入用ホース１６が連結され、吐出し口に、吸入用ホース１６から送出された液を分離槽４８に送出するための流入管（図示せず）が連結されている。
【００４６】
吸込みパイプ１８は、３つの球面状のフロート本体２６に保持されて貯留タンク４４の液面に浮上し、常に貯留タンク４４内の最上液（浮上油）を吸引できるように、吸込み口側端部１８ａが貯留タンク４４内の液面近傍において開口している。
【００４７】
図６は実施例１の液面追従式吸引装置１０を貯留タンク４４内に設置した後に液面追従式吸引装置４２のポンプを駆動している状態における作動説明図で、（ａ）はポンプの駆動直後の状態を示した図、（ｂ）はその後の経過状態を示した図、（ｃ）はポンプによる吸引が安定して行なわれている状態を示した図である。（ｄ）は調整パイプ３０の内周面にスパイラル溝を設けた場合の作動説明図である。
【００４８】
ポンプの駆動を開始すると、図６（ａ）に示した状態から瞬時に図６（ｂ）に示した状態を経て図６（ｃ）に示した状態となる。すなわち、図６（ａ）に示した状態において調整パイプ３０は座板３６（図示せず）によりその下端面が保持部材２２の上面から浮上した状態となっている。
【００４９】
このため、ポンプ駆動による吸込みパイプ１８からの吸引力が生じると、当初は、図６（ａ）に示すように、貯留タンク４４内の油水混合液４６が調整パイプ３０の上端面から吸込みパイプ１８内に吸い込まれる。同時に、調整パイプ３０の下端面より調整パイプ３０と吸込みパイプ１８との間の隙間３４に向かって流れて矢印５６で示す液流が起こる。この液流は矢印５７で示すように隙間３４内を昇流し吸込みパイプ１８内に吸い込まれる。
【００５０】
油水混合液４６が隙間３４を昇流しているとき、油水混合液４６の粘性等により油水混合液４６内の調整パイプ３０を押し上げて図６（ｃ）に示した状態となる。この状態では調整パイプ３０の上端面が液面２５の近傍に位置し、油水混合液４６の浮上油を効果的に吸引する。
【００５１】
調整パイプ３０は、調整パイプ３０の下端面に当たって上流する油水混合液４６と、前記隙間３４内を昇流する油水混合液４６の粘性により押し上げられるが、ポンプの稼働中、調整パイプ３０の上端面が液面２５より突出することがなく、液面２５内の直下に位置している。これは、隙間３４内を昇流する油水混合液４６および調整パイプ３０の下端面に当たって上流する油水混合液４６の粘性と、調整パイプ３０に加わる浮力等による押上げ力に対して、調整パイプ３０の上端面を矢印５８で示すように流れる油水混合液４６の重量や比重が１より大きい調整パイプ３０の重量等による押下げ力がバランスしていることによる。
【００５２】
なお、図６（ｄ）に示すように、調整パイプ３０の内周面にスパイラル溝８４を設けた場合、隙間３４を昇流する油水混合液４６により調整パイプ３０に回転力が付与される。調整パイプ３０が回転することにより、調整パイプ３０の上端面から吸込みパイプ１８内に流れる液に渦流が生じて油水混合液４６の排出効率を高める効果を奏する。
【００５３】
吸込みパイプ１８の吸込み口側端部１８ａに調整パイプ３０を上下移動自在に配設したことにより、油水混合液４６の成分の経時変化や液面２５近傍における浮上油の深さの経時変化等に基づくフロート本体２６に対する浮力の変動が生じても、調整パイプ３０の吸込み口が液面２５に対して常時自動的に適正な位置に保持される。このため、浮上油の回収を効率よく行なうことができると共に、回収された浮上油に含まれる水の混入量を大幅に減少できる。
【実施例２】
【００５４】
図７は実施例２の液面追従式吸引装置１２を示す図で、（ａ）は斜視図、（ｂ）は正面図、図８は同実施例２を構成する保持部材を示す図で、（ａ）は斜視図、（ｂ）は平面図、（ｃ）は正面図である。これらの図には図１〜図４と同一部分に同一符号を付し、重複説明を省略する。
【００５５】
液面追従式吸引装置１２は、フロート本体２６を２つ使用した例であり、保持部材２２の突出部２０を２本設けた以外は液面追従式吸引装置２０と同構成であり同効果が得られる。液面追従式吸引装置１２は、全体構成が液面追従式吸引装置１０と比較してコンパクトなので、開口面が狭い貯留タンク４４で使用するのに好適である。
【実施例３】
【００５６】
図９は実施例３の液面追従式吸引装置１３を示す図で、（ａ）は斜視図、（ｂ）は正面図、図１０は同実施例３を構成する保持部材を示す斜視図、図１１は同実施例３を構成する他の部品を示す図で、（ａ）は斜視図、（ｂ）は平面図、（ｃ）は正面図、（ｄ）は側面図、図１２は同実施例３を構成するストッパを示す図で、（ａ）は平面図、（ｂ）正面図である。これらの図には図１〜図４と同一部分に同一符号を付し、重複説明を省略する。
【００５７】
液面追従式吸引装置１３は、吸込みパイプ１８の吸込み口側端部が液面２５に対して下向きに構成されている点が上記液面追従式吸引装置１０と基本的に相違している。
【００５８】
すなわち、液面追従式吸引装置１３は、上下に起立して配置され、かつ上端にポンプの吸入口に連通された吸入用ホース１６が連結される吸込みパイプ１８と、吸込みパイプ１８が挿入固定され、かつ外方に延びる突出部２０を有する保持部材２２と、保持部材２２の突出部２０に取り付けられて吸込みパイプ１８の下端部を液中の液面２５近傍に追従させるフロート本体２６と、吸込みパイプ１８の下端部に対して適当間隔を置いて配置される受け皿３８と、受け皿３８の外周上に上下移動自在に挿入され、かつ上端開口縁部が吸込み口とされる調整パイプ６４とを備えている。
【００５９】
図１０に示すように、保持部材２２の中心部の上面に筒状ホルダ２３の一端面が固着されている。吸込みパイプ１８は、保持部材２２の中心孔と筒状ホルダ２３とに挿入され、筒状ホルダ２３の側面に穿設された取り付け孔２３ａにねじ込まれた蝶ボルト２４を締付けることにより保持部材２２に固定されている。
【００６０】
吸込みパイプ１８には受け皿３８を保持するための筒状ホルダ８０が緩挿されている。筒状ホルダ８０はその側面に穿設された取り付け孔６６にねじ込まれた蝶ボルト８２を締付けることにより吸込みパイプ１８に固定される（図９、図１４参照）。
【００６１】
受け皿３８は、図１１に示すように、筒状ホルダ８０に２つの連結部材３９を介して連結されている。受け皿３８の底面中心部にはナット６８が配設されている。受け皿３８は、有底筒型に成形されたもので、図１３に示すように、吸込みパイプ１８の下端部に対向し、かつ周縁枠が吸込みパイプ１８の下端部を囲うように配置されている。
【００６２】
受け皿３８の底面に対し所定間隔を置いて対向配置されて調整パイプ６４の脱落を防止する平円板状のストッパ４０が配設されている。ストッパ４０の上面の中心部に、図１２に示されるようにボルト７０が固着されている。ボルト７０を受け皿３８の底面に配設したナット６８に螺合することにより、ストッパ４０が受け皿３８の底面に連結されている。
【００６３】
調整パイプ６４は、比重が１より大きい樹脂により成形された管体であって、受け皿３８の外径より大きい内径を有するものである。
【００６４】
図１３は実施例３の液面追従式吸引装置１３の作動説明図である。図１３は液面追従式吸引装置１３を貯留タンク４４内に設置した後に浮上油回収装置４２のポンプを駆動している状態を示している。
【００６５】
ポンプの駆動を開始すると、吸込みパイプ１８からの吸引力により、当初は調整パイプ６４が平円板状のストッパ４０に載置されているので、貯留タンク４４内の油水混合液４６が受け皿３８の上端面から吸込みパイプ１８内に吸い込まれる。同時に、油水混合液４６が調整パイプ６４と受け皿３８との間の隙間３４からも矢印７２、７４で示すように昇流し吸込みパイプ１８内に吸い込まれる。
【００６６】
油水混合液４６は隙間３４を昇流しているとき粘性等により油水混合液４６内の調整パイプ６４を押し上げて図１３に示した状態となる。この状態では調整パイプ６４の上端面が液面２５の近傍に位置し、油水混合液４６の浮上油６０を効果的に吸引する。
【００６７】
調整パイプ６４は、調整パイプ６４の下端面及び隙間３４を流れる油水混合液４６の粘性により押し上げられるが、上端面が液面２５より浮上することがなく、常時、液面２５の直下に位置している。これは、液面追従式吸引装置１０の場合と同様に、調整パイプ６４の下端面及隙間３４を昇流する油水混合液４６の粘性による押上げ力に対して、調整パイプ６４の上端面を矢印７６で示すように流れる油水混合液４６の重量や比重が１より大きい調整パイプ６４の重量等がバランスしていることによる。
【００６８】
液面追従式吸引装置１３は実施例１と同様な作用効果が得られると共に、吸込みパイプ１８の下端部の開口が下向きに設置されるので、液面２５の高さが低くても液の吸込みが可能である。
【実施例４】
【００６９】
図１４は実施例４の液面追従式吸引装置１４を示す図で、（ａ）は斜視図、（ｂ）は正面図である。図１４には図１〜図４と同一部分に同一符号を付し、重複説明を省略する。
【００７０】
液面追従式吸引装置１４は、フロート本体２６を２つ使用した例であり、保持部材２２の突出部２０を２本設けた以外は液面追従式吸引装置１３と同構成であり同効果が得られる。液面追従式吸引装置１４は、全体構成が液面追従式吸引装置１３と比較してコンパクトなので、開口面が狭い貯留タンク４４で使用するのに好適である。
【実施例５】
【００７１】
図１５は実施例５の浮上油回収装置の実施態様を示す斜視図、図１６は同実施例の部品を示す斜視図、図１７は本発明の浮上油回収装置の概略図である。これらの図に示すように浮上油回収装置４２は工作機械クーラントタンクや洗浄液タンク等の貯留タンク４４内の油水混合液４６を油と水に分離する分離槽４８と、油水混合液を液面追従式吸引装置１０と吸入用ホース１６を使用して貯留タンク４４から吸い上げて、流入用ホース９０、流入管９１を介して分離槽４８に送り込むポンプＰと、分離槽４８で分離された浮上油を、排出用ホース５０を介して回収する回収容器５２を備えている。回収された油は廃液として適宜処分される。油を除去した残りの液（水）は、分離槽から貯留タンクに戻されて再利用される。
【００７２】
図１７に示すように、ポンプＰから流入用ホース９０を介して流入管９１に流入した油水混合液は、連結管９２の対抗面を介して、速度を減じてリード管９３に導かれる。リード管９３は分離槽４８上部に上下方向を向くように分離槽の内壁に固定される。連結管９２は、リード管９３の側面から分離槽４８の外側に向けて突出するように接合され、流入管９１は連結管９２の下面に接合され、流入用ホース９０を介してポンプＰと連結する。流入管９１、連結管９２、リード管９３は溶接などにより一体となっている。又、リード管９３は分離槽４８への取り付け位置を上下に調整可能に構成されている。
尚、前記リード管の前記分離槽４８の内壁への固定方法は、ボルトとナットによる方法のように容易に取り付け、取外しができ、かつ取り付け穴を上下方向に複数備えることにより上下方向の取り付け位置を複数選択できるように構成されている。
【００７３】
図１７に示すように、リード管９３上部に脱気のための開口部９４を設けており、油水混合液中の空気は上部の開口部９４より流出する。リード管９３内に、連結管９２に向かって上方に傾斜した邪魔板９５が配設され、邪魔板９５の先端と連結管の内壁には隙間がある。この邪魔板９５によって油水混合液が、開口部９４から外部に飛散するのを防いでいる。リード管９３の下方先端は、下方に向かって緩やかに断面積が小さくなっており、油水混合液を狭い範囲にまとめて分離槽４８へ流出させる。
【００７４】
図１７に示すように、箱体Ａ９７と箱体Ｂ９８は分離槽４８上部に収納されている。
この箱体Ａ９７は、前記分離槽４８内に設けられた、上面が開口し、前記リード管９３側の側面の上端部が前記分離槽の上端部より下方に位置し、他の側面の上端部は前記分離槽４８の上端部と同一面にあり、リード管９３側から見た左右の側面が分離槽の内壁に接合され、前記分離槽に浮上する浮上油を前記リード管側端面より流入させるように構成されている。
また、この箱体Ｂ９８は、上面が開口し、上端部は前記分離槽４８の上端部と同一面にあり、リード管９３側の側面が前記箱体Ａのリード管９３に対する反対側側面に接合され、他の側面が前記分離槽の内壁に接合されている。
【００７５】
リード管９３から分離槽４８に油水混合液は流入する。比重の差によって油分と水分に分離され、分離された油分が液面に浮上する。
【００７６】
図１７に示すように、水分は、油分と分離した後、箱体Ｂの流出口を介して分離槽４８の外部に流出する。
【００７７】
箱体Ａ９７は、上面が開放された形状である。分離槽４８の液面に浮上した油分が、図の矢印１２５のように箱体Ａ９７に流入する。箱体Ａ９７に貯留した油分は、箱体Ａ９７の側面に配設した排油口１０３から排出用ホース５０を介して回収容器５２に導かれる。
【００７８】
箱体Ｂ９８は、上面が開放された形状である。箱体Ｂ９８は箱体Ａ９７に隣接する。
【００７９】
図１７に示すように、箱体Ｂ９８の底面を上下に直立して貫通し、底面に接合された箱体Ｂ中空パイプ９９を介して、分離槽４８（箱体Ａ９７の下方）から箱体Ｂ９８に水分が流入する。箱体Ｂ９８の箱体Ａ９７と反対側の側面には環水口１０１が設けられ、環水用ホース１０２を介して、水分が貯留タンク４４に戻る。箱体Ｂ中空パイプ９９の上部には雄ネジが、液面調整管１００側には雌ネジがそれぞれ切られており、液面調整管１００をねじ込むことで、簡単に箱体Ｂ９８の液面高さを調整できる。
即ち、前記箱体Ｂ９８の底面を上下に貫通し直立して接合され、上方外面にねじ溝加工がされている前記分離槽で分離された水が流入する中空のパイプ９９と、前記中空パイプ９９の上方外面のねじ溝にねじ込み可能な、内側にねじ加工を施した液面調整管１００とを備え、箱体Ｂ９８の液面高さを調整可能に構成している。
【００８０】
分離槽４８と箱体Ｂ９８は、箱体Ｂ中空パイプ９９と液面調整管１００を介して一つの流体空間を形成する。そのため、分離槽４８の液面と箱体Ｂ９８の液面の高さは常に等しくなるように変化する。箱体Ｂ９８の液面調整管１００で箱体Ｂ９８の液面調整をすることにより、分離槽４８の液面を調整することができる。油分は、分離槽４８液面に浮上し、箱体Ａ９７と接する側面壁越しに箱体Ａ９７に流入する。油の種類の違いにより油膜の厚さは異なるので、側面壁の上端に比して液面の高低を調整して、油膜の厚さに応じた最適な液面高さにすることができる。
【００８１】
しかし、分離槽４８の液面が安定せず、波のように揺れていると、いくら液面を調整しても、浮上している油分だけでなく、その下の水分も箱体Ａ９７に流入しやすい。ダイヤフラムポンプを使用することで、油水混合液には空気が含まれる。又、油水混合液の流入速度が速いと油水混合液は、滝のように分離槽４８に流れ込んでしまい、気泡が発生するとともに、液面が安定しない。これらの対策のために、連結管内で油水混合液の速度を減衰させ、更に開口部９４から空気を流出させる脱気機構を設けた。これによりリード管９３から分離槽４８に油水混合液が穏やかに流入し、液面を波立てないようにしている。
【実施例６】
【００８２】
図１８は実施例６の浮上油回収装置の実施態様を示す斜視図、図１９は同実施例６の部品を示す斜視図、図２０は同実施例６の部品を示す上面図、図２１は同実施例６の部品を示す側面図、図２２は同実施例６浮上油回収装置の概略図である。実施例５において、油分や液の性質によっては、箱体Ａ９７に貯留される油分の上部に多量の泡が発生する。泡は水分を多く含んでおり、時間が経って泡が消えると水分が増加する。実施例５において説明した液面調整や液面の波立ちを抑えることでは対応できない。泡対策を施した浮上油回収装置を、実施例６において示す。
【００８３】
図２２に示すように、泡対策を施した浮上油回収装置が通常の浮上油回収装置と異なる点は、分離槽を２つ用意して連結していることである。
【００８４】
図１８から図２１に示すように、油水混合液がスムーズに流れるように、分離槽Ａ１０４は分離槽Ｂ１１４より高い位置に配置する。図２２に示すように、少なくとも、分離槽Ａ排油口１１２の下端が、分離槽Ｂ１１４の上端よりも高いものとする。
即ち、前記分離槽Ａ１０４に加えて、更に前記分離槽Ａ１０４の排出口１１２及び流出口１１０の下端面より下方に、第２の分離槽Ｂ１１４を備えている。
また、前記第２の分離槽Ｂ１１４の上方に配設された、浮上油を前記第２の分離槽に流入させる、前記箱体Ａの排出口に接続された排出パイプ１１３を備えている。
更に、前記第２の分離槽Ｂ１１４内に設けられた、上面が開口し、前記排出パイプ側の側面の上端部が前記第２の分離槽の上端部より下方に位置し、他の側面の上端部は前記第２の分離槽の上端部と同一面にあり、排出パイプ側から見た左右の側面が前記第２の分離槽の内壁に接合された、前記第２の分離槽に浮上する浮上油を排出パイプ側側面より排出する箱体Ｃ１１６を備えている。
また、上面が開口し、上端部は前記第２の分離槽Ｂ１１４の上端部と同一面にあり、前記排出パイプ側の側面が前記箱体Ｃの前記排出パイプに対する反対側側面に接合され、他の側面が前記第２の分離槽の内壁に接合された箱体Ｄを備えている。
また、前記箱体Ｄの上方に構成され、箱体Ｂから流出する水を箱体Ｄに流入させる流出パイプ１１１と、前記箱体Ｄの底面を上下に貫通し直立して接合され、上方外面にねじ溝加工がされている前記第２の分離槽で分離された水が流入する中空のパイプ１１８と、前記中空パイプの上方外面のねじ溝にねじ込み可能な、内側にねじ加工を施した液面調整管（図示せず）とを備えている。
また、前記箱体Ｃの側面に設けられ、前記箱体Ｃ内の浮上油を排出させる排出口１２２と、前記排出口１２２に連結されて前記箱体Ｃ内の浮上油を回収容器に導く排出用ホース１２３と、前記箱体Ｄの側面に設けられ、前記中空パイプから流入した水を流出させる流出口１２０と、前記流出口に連結されて前記分離された水を任意箇所に導く流出用ホース１２１とを備えている。
【００８５】
分離槽Ａ１０４で通常の油水分離を行なう。分離槽Ａの箱体Ａ１０６に貯留される油分の上面に、多量の泡が浮いている状態の場合、前記の泡は分離槽Ａ排油口１１２から分離槽Ａ排油管１１３に流れ込み、分離槽Ａ排油管１１３内を流れて分離槽Ｂ１１４に流入する。分離槽Ｂ１１４で再度、油水分離が行われる。分離槽Ｂ箱体Ｃ１１６に泡が流入するまでに、これらの時間が追加されるため、泡がはじけて水分に戻る時間を十分確保することができる。これにより分離槽Ｂ箱体Ｃ１１６には泡はほとんど流入せず油分のみが貯留され、最終的に油分だけが回収されるようになる。
【００８６】
第一分離槽排油管１１３はこれまでの排出用ホースとは異なり、配管の途中の上部に分離槽Ａ排油管開口部１２４を設ける。開口することで泡を消えやすくする。分離槽Ａ排油管開口部１２４を上部とするのは、流体がこぼれ出てこないようにするためである。
【産業上の利用可能性】
【００８７】
加工液や洗浄液等の油水混合液の液面に浮上する油を回収する装置であって、液面追従式吸引装置と脱気装置と分離槽とポンプを備えたことにより、水の混入量を大幅に減少させた油を回収できる。
【符号の説明】
【００８８】
１０      液面追従式吸引装置（実施例１）
１２      液面追従式吸引装置（実施例２）
１３      液面追従式吸引装置（実施例３）
１４      液面追従式吸引装置（実施例４）
１６      吸入用ホース
１８      吸込みパイプ
１８ａ    吸込み口側端部
２０      突出部
２１ａ    中心孔
２１ｂ    取り付け孔
２１ｃ    取り付け孔
２２      保持部材
２３      筒状ホルダ
２４      蝶ボルト
２５      液面
２６      フロート本体
２８      上端開口縁部
３０      調整パイプ
３２      帯状のストッパ
３２ａ    取り付け孔
３３      取り付けねじ
３４      隙間
３６      座板
３８      受け皿
３９      連結部材
４０      平板状のストッパ
４２      浮上油回収装置
４４      貯留タンク
４６      油水混合液
４８      分離槽
５０      排出用ホース
５２      回収容器
５３      キャスター
５４      流出用ホース
５５      架台
５６      矢印
５７      矢印
５８      矢印
６０      浮上油
６２      水
６４      調整パイプ
６６      取り付け孔
６８      ナット
７０      ボルト
７２      矢印
７４      矢印
７６      矢印
８０      筒状ホルダ
８２      蝶ボルト
８４      スパイラル溝
９０      流入用ホース
９１      流入管
９２      ガイド管
９３      リード管
９４      開口部
９５      邪魔板
９７      箱体Ａ
９８      箱体Ｂ
９９      箱体Ｂ中空パイプ
１００    液面調整管
１０１    環水口
１０２    環水用ホース
１０３    排油口
１０４    分離槽Ａ
１０６    分離槽Ａ箱体Ａ
１０７    分離槽Ａ箱体Ｂ
１０８    分離槽Ａ箱体Ｂ中空パイプ
１０９    分離槽Ａ液面調整管
１１０    分離槽Ａ環水口
１１１    分離槽Ａ環水用ホース
１１２    分離槽Ａ排油口
１１３    分離槽Ａ排油管
１１４    分離槽Ｂ
１１６    分離槽Ｂ箱体Ｃ
１１７    分離槽Ｂ箱体Ｄ
１１８    分離槽Ｂ箱体Ｄ中空パイプ
１１９    分離槽Ｂ液面調整管
１２０    分離槽Ｂ環水口
１２１    分離槽Ｂ環水用ホース
１２２    分離槽Ｂ排油口
１２３    分離槽Ｂ排出用ホース
１２４    分離槽Ａ排油管開口部
【図１】
2011255381.tif 000003
【図２】
2011255381.tif 000004
【図３】
2011255381.tif 000005
【図４】
2011255381.tif 000006
【図５】
2011255381.tif 000007
【図６】
2011255381.tif 000008
【図７】
2011255381.tif 000009
【図８】
2011255381.tif 000010
【図９】
2011255381.tif 000011
【図１０】
2011255381.tif 000012
【図１１】
2011255381.tif 000013
【図１２】
2011255381.tif 000014
【図１３】
2011255381.tif 000015
【図１４】
2011255381.tif 000016
【図１５】
2011255381.tif 000017
【図１６】
2011255381.tif 000018
【図１７】
2011255381.tif 000019
【図１８】
2011255381.tif 000020
【図１９】
2011255381.tif 000021
【図２０】
2011255381.tif 000022
【図２１】
2011255381.tif 000023
【図２２】
2011255381.tif 000024